(57)【要約】【課題】第三者に画像を送付する場合等に、その画像を見た第三者に画像に含まれる撮影情報又は管理情報から撮影者又は撮影された人の情報を知られることを防ぐこと。【解決手段】ＨＤＤ１１に格納された画像ファイルを他のＰＣやサーバ２０に送信する際に、制御部１２は、上記他のＰＣやサーバ２０に送信される画像ファイルに付加されている付加情報の内、撮影者又は撮影された人のプライバシー情報又は位置情報の少なくとも何れかを含む付加情報を削除した後、通信部１５により、そのプライバシー情報又は位置情報の何れかを含む付加情報が削除された画像ファイルを送信する。【選択図】      図１
2007088754.tif 000002
【特許請求の範囲】
【請求項１】
格納手段に格納されたコンテンツデータを外部装置に送信することが可能なコンテンツデータ処理装置において、
上記外部装置に送信されるコンテンツデータに付加されている付加情報の内、少なくともプライバシー情報又は位置情報の何れかを含む付加情報を削除する削除手段と、
上記削除手段により上記プライバシー情報又は位置情報の何れかを含む付加情報が削除されたコンテンツデータを送信する送信手段と、
を具備することを特徴とするコンテンツデータ処理装置。
【請求項２】
上記コンテンツデータは、画像データであり、
上記位置情報は、当該コンテンツデータの撮影場所を示す情報である、
ことを特徴とする請求項１に記載のコンテンツデータ処理装置。
【請求項３】
上記削除手段は、上記格納手段に格納されているコンテンツデータから上記プライバシー情報及び／又は位置情報を削除したコンテンツデータを複製し、
上記送信手段は、上記複製されたコンテンツデータを上記外部装置に送信する、
ことを特徴とする請求項１に記載のコンテンツデータ処理装置。
【請求項４】
上記コンテンツデータに付加されているプライバシー情報又は位置情報の何れかを含む付加情報の削除を選択する選択画面を表示する表示手段を更に具備することを特徴とする請求項１に記載のコンテンツデータ処理装置。
【請求項５】
上記選択画面は、上記プライバシー情報又は位置情報の何れかを含む付加情報の削除対象となる項目を表示することを特徴とする請求項４に記載のコンテンツデータ処理装置。
【請求項６】
上記選択画面は、送信対象となるコンテンツデータの内容を表す表示と共に、上記プライバシー情報又は位置情報の何れかを含む付加情報の削除対象となる項目を表示することを特徴とする請求項４に記載のコンテンツデータ処理装置。
【請求項７】
上記選択画面での削除の選択は、上記送信対象となるコンテンツデータに対して操作を行った後に確定することを特徴とする請求項４に記載のコンテンツデータ処理装置。
【請求項８】
コンピュータにコンテンツデータを処理させるコンテンツデータ処理プログラムにおいて、上記コンテンツデータ処理プログラムは、コンピュータに、
外部装置に送信される格納手段に格納されたコンテンツデータに付加されている付加情報の内、少なくともプライバシー情報又は位置情報の何れかを含む付加情報を削除させ、
上記プライバシー情報又は位置情報の何れかを含む付加情報が削除されたコンテンツデータを送信させる、
ことを特徴とするコンテンツデータ処理プログラム。
【発明の詳細な説明】
【技術分野】
【０００１】
本発明は、格納手段に格納されたコンテンツデータを外部装置に送信することが可能なコンテンツデータ処理装置、及び、コンピュータをそのようなコンテンツデータ処理装置として機能させるためのコンテンツデータ処理プログラムに関する。
【背景技術】
【０００２】
従来、例えば、特許文献１に開示されているような、画像に位置情報を付加して保存するカメラが提供されている。
【０００３】
また、撮影者がカメラで撮影した写真画像をＷＥＢ等で公開したりすることも広く行われている。
【特許文献１】特開２０００−２６１７０４号公報
【発明の開示】
【発明が解決しようとする課題】
【０００４】
上記特許文献１に開示されているようなカメラでは、撮影者又は撮影された人の個人情報に関わる、自分自身の写真、家族の写真、ペットの写真や自宅の写真等を撮影し、その写真画像をＷＥＢで公開した場合に、上記位置情報が付加されているため、その写真画像を見た第三者が撮影者或いは家族の、住所又は撮影場所（即ち、良く行く場所）といった個人情報を入手できてしまう。
【０００５】
本発明は、上記の点に鑑みてなされたもので、第三者に画像を送付する場合やＷＥＢ等で公開する場合に、その画像を見た第三者に撮影者又は撮影された人の情報を知られることを防ぐことが可能なコンテンツデータ処理装置及びコンテンツデータ処理プログラムを提供することを目的とする。
【０００６】
また、簡単且つわかり易い操作で、送信するコンテンツの公開したくない情報を保護することが可能なコンテンツデータ処理装置及びコンテンツデータ処理プログラムを提供することを目的とする。
【課題を解決するための手段】
【０００７】
本発明のコンテンツデータ処理装置の一態様は、
格納手段に格納されたコンテンツデータを外部装置に送信することが可能なコンテンツデータ処理装置において、
上記外部装置に送信されるコンテンツデータに付加されている撮影情報又は管理情報といった付加情報の内、少なくともプライバシー情報又は位置情報の何れかを含む付加情報を削除する削除手段と、
上記削除手段により上記プライバシー情報又は位置情報の何れかを含む付加情報が削除されたコンテンツデータを送信する送信手段と、
を具備することを特徴とする。
【０００８】
また、本発明のコンテンツデータ処理プログラムの一態様は、
コンピュータにコンテンツデータを処理させるコンテンツデータ処理プログラムにおいて、上記コンテンツデータ処理プログラムは、コンピュータに、
外部装置に送信される格納手段に格納されたコンテンツデータに付加されている付加情報の内、少なくともプライバシー情報又は位置情報の何れかを含む付加情報を削除させ、
上記プライバシー情報又は位置情報の何れかを含む付加情報が削除されたコンテンツデータを送信させる、
ことを特徴とする。
【発明の効果】
【０００９】
本発明によれば、第三者に画像を送付する場合やＷＥＢ等で公開する場合に、その画像を見た第三者に撮影者又は撮影された人の情報を知られることを防ぐことが可能なコンテンツデータ処理装置及びコンテンツデータ処理プログラムを提供することができる。
【００１０】
また、簡単且つわかり易い操作で、送信するコンテンツの公開したくない情報を保護することが可能なコンテンツデータ処理装置及びコンテンツデータ処理プログラムを提供することができる。
【発明を実施するための最良の形態】
【００１１】
以下、本発明を実施するための最良の形態を図面を参照して説明する。
【００１２】
［第１実施形態］
図１は、本発明の第１実施形態に係るコンテンツデータ処理装置を用いたシステムの構成を示す図である。
【００１３】
本実施形態に係るコンテンツデータ処理装置は、パーソナルコンピュータ（ＰＣ）１０として構成されている。このＰＣ１０は、ＯＳやアプリケーションプログラム及びデータを保存するＨＤＤ１１、ＯＳやアプリケーションプログラムを実行する制御部１２、該制御部１２がＯＳやアプリケーションプログラムを実行するために使用するメモリ１３、データ読み込み・保存・配布に使用するリムーバブルディスクとしてのＣＤ／ＤＶＤ１４、アプリケーションプログラムが外部装置である他ＰＣやサーバ（ＰＣ／サーバ）２０にデータを送受信するときに使用する通信部１５を有している。また、ＵＳＢ等の手段でデジタルスチルカメラ（ＤＳＣ）３０等の静止画／動画撮影機器を接続でき、接続されたＤＳＣ３０からＨＤＤ１１にデータをコピーすることや、ＨＤＤ１１からＤＳＣ３０にデータをコピーするができる。また、上記制御部１２の制御により、該ＰＣ１０は出力手段としてのモニタ１６に各種表示を行うための表示部１７を有している。更に、入力手段としてキーボード１８を備えると共に、マウス４０を接続可能に構成されている。
【００１４】
また、上記ＰＣ１０には１つ以上のＰＣ／サーバ２０を接続することができる。ここで、そのＰＣ／サーバ２０も、上記ＰＣ１０と同様に、ＨＤＤ２１、制御部２２、メモリ２３、通信部２５、モニタ２６、表示部２７、キーボード２８を有し、マウス５０を接続可能に構成されている。そして、上記ＰＣ１０は、それら接続されたＰＣ／サーバ２０のＨＤＤ２１をネットワークドライブとして、上記ＰＣ１０自身のＨＤＤ１１と同様にアクセスすることが可能となっている。また、例えば、上記ＰＣ１０で実行される電子メールアプリケーションプログラムが電子メールを送付する場合は、図示しないメールサーバを経由して、目的のＰＣ／サーバ２０に電子メールを送付することができる。
【００１５】
図２（Ａ）は、上記ＤＳＣ３０で撮影され、ＨＤＤ１１にコピーされる画像ファイル６０の構成を示す図である。即ち、画像ファイル６０は、実際の画像データ６１と、その画像データ６１に付随する撮影情報又は管理情報といった付加情報を保存するヘッダ部６２と、を含む。ヘッダ部６２には、タイトルや撮影日時に加えて、個人情報（プライバシー情報）となる、撮影者，画像の著作権者，及び撮影位置を示すＧＰＳ情報を含む。これら情報は任意の情報であり、画像ファイル６０によって全てが含まれている場合もあるし、一部しか含まれていない場合や、全く含まれていない場合もある。
【００１６】
図２（Ｂ）乃至（Ｄ）は、ＰＣ１０から電子メールで画像を送信する場合に、ＰＣ１０のモニタ１６に全画面又はウィンドウとして表示される画面を示す図である。
【００１７】
ここで、図２（Ｂ）は、電子メール画面１６１で、ファイル名がＩｍａｇｅ．ＪＰＧの画像ファイル６０が添付ファイルとして、ＸＹＺ氏からＡＢＣＤ氏に送付される場合を示している。
【００１８】
図２（Ｂ）の電子メール画面１６１における“送信”を例えばマウス４０のクリック操作によって押すと電子メールの送信が行われるが、その送信実行時に、添付ファイルとして設定された画像ファイル６０に個人情報が含まれる場合には、図２（Ｃ）に示すような確認画面１６２がモニタ１６に表示される。画像ファイル６０のヘッダ部６２に図２（Ａ）に示すような個人情報が含まれている場合には、この確認画面１６２においては、撮影者、著作権者、撮影位置の前にはチェックボックスが表示され、それら３つのチェックボックスが全てチェックされた状態（ＯＮ状態）で表示される。そして、それらのチェックボックスに例えばマウス４０のクリック操作によってチェックを外すことで、削除しない情報を選択することができる。例えば、図２（Ｃ）に示すように、撮影者と著作権者に対応するチェックボックスのチェックを外す（ＯＦＦにする）と、撮影位置のみが画像ファイル６０のヘッダ部６２から削除されるようになる。即ち、撮影位置を削除する設定になっている場合に、例えばマウス４０のクリック操作によって“削除する”を押すことで送信を実行すると、上記添付ファイルであるＩｍａｇｅ．ＪＰＧの画像ファイル６０のヘッダ部６２に保存されている撮影位置情報（＝ＧＰＳ情報）が削除されて、電子メールが送付されるようになる。これに対して、例えばマウス４０のクリック操作によって“削除しない”を押すことで送信を実行すると、チェックボックスの状態に関わらず、個人情報を残したまま電子メールを送付することができる。
【００１９】
なお、図２（Ｃ）では、撮影者、著作権者、撮影位置の３つが表示されているが、画像ファイル６０（ヘッダ部６２）に含まれている情報のみを表示するようにしても良い。例えば、画像ファイル６０に撮影者や著作権者が含まれていない場合には、確認画面１６２には撮影位置のみが表示されるようにしても良い。
【００２０】
図２（Ｂ）の電子メール画面１６１において例えばマウス４０のクリック操作によって“設定”を押すと、図２（Ｄ）に示すような設定画面１６３が表示される。この設定画面１６３においては、標準で画像から削除する情報と、送信時に図２（Ｃ）の確認画面１６２を表示するか、表示しないで自動的に選択された項目を削除するかを、例えばマウス４０のクリック操作によって設定することができる。
【００２１】
この設定画面１６３における“送信時に確認する”をチェックしないと、図２（Ｃ）の確認画面１６２を表示することなく、画像ファイル６０から図２（Ｄ）で選択した情報を削除する。
【００２２】
図２（Ｄ）に示す例では、撮影者、著作権者及び撮影位置の全てが、確認画面１６２を表示することなく削除されるようになっている。
【００２３】
図３は、制御部１２によって実行される電子メールアプリケーションプログラムにおいて、図２（Ｂ）の電子メール画面１６１で“送信”を押した時に実行されるメール送信処理の動作フローチャートを示している。
【００２４】
即ち、まず、添付ファイルに画像ファイル６０があるか否か、または電子メール本文に画像が貼り付けられているか否か、を確認する（ステップＳ１１）。ここで、添付ファイルに画像ファイル６０がなく、且つ、電子メール本文にも画像が貼り付けられていない場合には、その電子メールを送信して（ステップＳ１２）、該メール送信処理を終了する。
【００２５】
一方、上記ステップＳ１１で、添付ファイルに画像ファイル６０がある、或いは、電子メール本文に画像が貼り付けられている、と判別した場合には、その添付ファイルとしての画像ファイル６０又は貼り付けられた画像に対応する画像ファイル６０に、撮影者、著作権者或いは撮影位置情報が一つ以上含まれるか否かを確認する（ステップＳ１３）。そのような撮影者、著作権者及び撮影位置情報が一つも含まれていなければ、上記ステップＳ１２に進んで、その電子メールを送信した上で、該メール送信処理を終了する。
【００２６】
これに対して、上記ステップＳ１３において、撮影者、著作権者或いは撮影位置情報が一つ以上含まれていると判別した場合には、図２（Ｄ）の設定画面でのメール設定で、“送信時に確認する”が設定されているか否かを確認する（ステップＳ１４）。ここで、そのメール設定が“送信時に確認する”となっている場合には、図２（Ｃ）に示したような確認画面１６２をモニタ１６に表示することで、確認メッセージを表示する（ステップＳ１５）。そして、図２（Ｃ）の確認画面１６２で“削除する”が押されたか否かを判別する（ステップＳ１６）。ここで、“削除する”が押されずに“削除しない”が押されたと判別した場合には、上記ステップＳ１２に進み、上記撮影者、著作権者或いは撮影位置情報を含む画像ファイル６０が添付ファイルとして設定された電子メール、もしくは、そのような画像ファイル６０に対応する画像が電子メール本文に貼り付けられた電子メールを送信した上で、該メール送信処理を終了する。
【００２７】
一方、上記ステップＳ１４でメール設定が“送信時に確認する”となっていないと判別した場合、或いは、上記ステップＳ１６で“削除する”が押されたと判別した場合には、図２（Ｃ）の確認画面１６２又は図２（Ｄ）の設定画面１６３において、撮影者情報に対応するチェックボックスがチェックされている、つまり撮影者情報の削除が設定されているか否かを判別する（ステップＳ１７）。そして、撮影者情報の削除が設定されていれば、添付ファイルとしての画像ファイル６０又は電子メール本文に貼り付けられた画像に対応する画像ファイル６０から撮影者情報を削除する（ステップＳ１８）。
【００２８】
その後、或いは上記ステップＳ１７で撮影者情報の削除が設定されていないと判別した場合、図２（Ｃ）の確認画面１６２又は図２（Ｄ）の設定画面１６３において、著作権者情報に対応するチェックボックスがチェックされている、つまり著作権者情報の削除が設定されているか否かを判別する（ステップＳ１９）。そして、著作権者情報の削除が設定されていれば、添付ファイルとしての画像ファイル６０又は電子メール本文に貼り付けられた画像に対応する画像ファイル６０から著作権者情報を削除する（ステップＳ２０）。
【００２９】
その後、或いは上記ステップＳ１９で著作権者情報の削除が設定されていないと判別した場合、図２（Ｃ）の確認画面１６２又は図２（Ｄ）の設定画面１６３において、撮影位置情報に対応するチェックボックスがチェックされている、つまり撮影位置情報の削除が設定されているか否かを判別する（ステップＳ２１）。そして、撮影位置情報の削除が設定されていれば、添付ファイルとしての画像ファイル６０又は電子メール本文に貼り付けられた画像に対応する画像ファイル６０から撮影位置情報を削除する（ステップＳ２２）。
【００３０】
その後、或いは上記ステップＳ２１で撮影位置情報の削除が設定されていないと判別した場合には、上記ステップＳ１２に進み、上記撮影者、著作権者或いは撮影位置情報が削除された画像ファイル６０が添付ファイルとして設定された電子メール、もしくは、そのような画像ファイル６０に対応する画像が電子メール本文に貼り付けられた電子メールを送信した上で、該メール送信処理を終了する。
【００３１】
なお、上記ステップＳ１８、Ｓ２０、Ｓ２２での情報の削除は、送信する画像ファイル６０をメモリ１３に読み込んだ状態、または指定された画像ファイル６０を送信用画像としてＨＤＤ１１にコピーした状態で行い、ＨＤＤ１１に保存されている元画像ファイル６０は変更しないことが好ましい。そのようにすれば、せっかく設定した撮影者、著作権者或いは撮影位置情報が削除されてしまうことが無く、画像ファイル６０の管理に支障を来たすことがない。
【００３２】
以上のようにして、撮影者、著作権者及び撮影位置といった個人情報を、送信前に削除した上で、画像ファイルを送付するので、個人情報を知られることを防ぐことができ、安全である。
【００３３】
従って、例えば、ＧＰＳ機能付きＤＳＣ３０を用いて自宅で撮影した家族やペット等の写真を電子メールで送付するような場合に、ユーザがＧＰＳ位置情報を削除して送付することができるので、電子メール送付先が受信した画像を第三者に提供してしまった場合等に、電子メール送付者が知らない第三者が、画像のＤＰＳ情報から画像に写っている家族やペットの住所や撮影位置（＝良く行く場所など）を調べてしまうことを防ぐことができる。
【００３４】
また、例えば、画像編集アプリケーションプログラムを用いて撮影者や著作権者として画像撮影者＝電子メール送付者の名前を登録している場合に、電子メール送付時に削除することができるので、ＧＰＳ情報の場合と同様に、第三者に撮影者や著作権者氏名が知られてしまうことを防ぐことができる。
【００３５】
なお、本実施形態では、撮影者、著作権者及び撮影位置の個人情報で説明を行ったが、個人情報以外にも、撮影日時、撮影ＤＳＣ等の撮影条件、タイトルといった情報も削除するようにしても構わない。
【００３６】
更に、本実施形態では、静止画ファイルが電子メールに添付された場合や電子メールに貼り付けられた場合について説明を行ったが、文書ファイル等が添付または貼り付けられた場合で、文書ファイル等に静止画が含まれている場合も、同様に確認と削除ができるようにしても良い。
【００３７】
なお、本実施形態では、電子メール送信時に確認と削除を行ったが、添付ファイルを指定したときや電子メール本文に画像を貼り付けた場合に行うようにしても良い。
【００３８】
［第２実施形態］
次に、本発明の第２実施形態に係るコンテンツデータ処理装置を説明する。
【００３９】
上記第１実施形態に係るコンテンツデータ処理装置は、写真を電子メールで送付するような場合に対処するものであったが、本第２実施形態に係るコンテンツデータ処理装置は、写真をホームページ（ＨＰ）で公開する場合に対処するものである。
【００４０】
本実施形態に係るコンテンツデータ処理装置は、上記第１実施形態と同様、ＰＣ１０によって構成できるものであり、よって、その説明は省略する。
【００４１】
図４は、そのようなコンテンツデータ処理装置としてのＰＣ１０で実行されるＨＰ作成アプリケーションプログラムにおいて、ＨＰに画像を貼り付ける場合に、モニタ１６に表示されるＨＰ作成画面１６４を示す図である。このＨＰ作成画面１６４は、左右二つに分割され、左側が作成中のＨＰを示すＨＰ画面１６４Ａであり、右側がＨＰに貼り付けるコンテンツを選択するための選択画面１６４Ｂとなっている。
【００４２】
上記ＨＰ画面１６４Ａでは、ＨＰの新規作成、既存のＨＰの編集、編集中のＨＰの保存と印刷が実行できる。
【００４３】
また、上記選択画面１６４Ｂでは、文字、壁紙、絵やアイコン等の当該ＨＰ作成アプリケーションプログラムが持っている素材、及びユーザが持っている写真を選択することができる。図４の表示例では、写真が選択され、選択画面１６４Ｂに、ＰＣ１０のＨＤＤ１１の“Ｍｙ  Ｄｏｃｕｍｅｎｔｓ”フォルダ内の“Ｍｙ  Ｐｉｃｔｕｒｅｓ”フォルダに格納されている画像ファイル６０がサムネイル画像（縮小画像）として表示された状態を示している。この選択画面１６４Ｂに表示されたサムネイル画像を、例えばマウス４０の操作により選択し、ＨＰ画面１６４Ａにドラッグ・アンド・ドロップ操作することで、ＨＰ上に貼り付けることができる。
【００４４】
また、選択画面１６４Ｂの下部には、ＨＰ上に画像を貼り付けた時に、その画像の画像ファイル６０から削除する情報を指定するためのチェックボックスが設けられている。図４の表示例では、撮影者情報と撮影位置情報とを削除する設定になっている。
【００４５】
これにより、例えば、選択画面１６４Ｂに表示された一番下のサムネイル画像を、ＨＰ画面１６４Ａの“愛犬です”の下にドラッグ・アンド・ドロップすることで、対応する愛犬の写真の画像ファイル６０をＨＰに貼り付けることができる。この時、その愛犬の画像ファイル６０から撮影者情報と撮影位置情報とを削除する。
【００４６】
図５は、制御部１２によって実行されるＨＰ作成アプリケーションプログラムにおいて、図４のＨＰ作成画面１６４で画像貼り付けを行った時に実行される画像貼り付け処理の動作フローチャートを示している。
【００４７】
即ち、まず、上記ドラッグ・アンド・ドロップ操作により画像の貼り付けが行われたか否かを確認する（ステップＳ３１）。そして、画像の貼り付けが実行された場合には、図４のＨＰ作成画面１６４において、撮影者情報に対応するチェックボックスがチェックされている、つまり撮影者情報の削除が設定されているか否かを判別する（ステップＳ３２）。そして、撮影者情報の削除が設定されていれば、ＨＰ上に貼り付けるべき画像ファイル６０から撮影者情報を削除する（ステップＳ３３）。
【００４８】
その後、或いは上記ステップＳ３２で撮影者情報の削除が設定されていないと判別した場合、図４のＨＰ作成画面１６４において、著作権者情報に対応するチェックボックスがチェックされている、つまり著作権者情報の削除が設定されているか否かを判別する（ステップＳ３４）。そして、著作権者情報の削除が設定されていれば、ＨＰ上に貼り付けるべき画像ファイル６０から著作権者情報を削除する（ステップＳ３５）。
【００４９】
その後、或いは上記ステップＳ３４で著作権者情報の削除が設定されていないと判別した場合、図４のＨＰ作成画面１６４において、撮影位置情報に対応するチェックボックスがチェックされている、つまり撮影位置情報の削除が設定されているか否かを判別する（ステップＳ３６）。そして、撮影位置情報の削除が設定されていれば、ＨＰ上に貼り付けるべき画像ファイル６０から撮影位置情報を削除する（ステップＳ３７）。
【００５０】
その後、或いは上記ステップＳ３７で撮影位置情報の削除が設定されていないと判別した場合、上記撮影者、著作権者或いは撮影位置情報が削除された画像ファイル６０のＨＰへの貼り付けを実施する（ステップＳ３８）。
【００５１】
そしてその後、或いは上記ステップＳ３１で画像の貼り付けが実行されていないと判別した場合、終了するか否かを判別する（ステップＳ３９）。これは、図４のＨＰ作成画面１６４における右側の選択画面１６４Ｂで、写真から文字、壁紙或いは素材に変更指示されることで画像の貼り付けの終了指示がなされたか、または、ＨＰ作成画面１６４の右上の×が押されることで当該ＨＰ作成アプリケーションプログラムの終了が指示されたかを確認するものである。そして、終了しないのであれば上記ステップＳ３１に戻り、終了する場合には、この貼り付け処理を終了する。
【００５２】
以上のようにして、ＨＰのような不特定多数の人が見る可能性があるＨＰに画像を載せる場合でも、撮影者、著作権者及び撮影位置といった個人情報を削除した上で載せるので、個人情報を知られることを防ぐことができ、安全である。
【００５３】
従って、例えば、ＧＰＳ機能付きＤＳＣ３０を用いて自宅や自宅で撮影した家族やペット等の写真をＨＰに載せる場合に、ユーザがＧＰＳ位置情報を削除して載せることができるので、不特定多数の第三者が、ＨＰに掲載された画像のＧＰＳ情報から画像に写っている自宅や家族またはペットの住所または撮影位置（＝良く行く場所など）を調べてしまうことを防ぐことができる。
【００５４】
同様に、画像編集アプリケーションプログラムを用いて画像に付けた撮影者や著作権者情報も削除することができるので、第三者に撮影者や著作権者氏名が知られてしまうことを防ぐことができる。
【００５５】
なお、本実施形態では、画像の貼り付け時に削除を行ったが、ファイル保存時に行うようにしても良い。または、ＨＰデータをＰＣ／サーバ２０にアップロードする時に行うようにしても良い。
【００５６】
また、本実施形態では、ＨＰ作成アプリケーションプログラムで説明を行ったが、文書作成アプリケーションプログラム、表計算アプリケーションプログラム、画像アルバムアプリケーションプログラム、画像編集アプリケーションプログラム等の画像を扱う他のアプリケーションプログラムでも、同様に削除を行うことができる。
【００５７】
更に、上記第１実施形態のように、設定画面１６３を別に設けるようにしても良いし、画像貼り付け時に削除の確認を行うようにしても良い。
【００５８】
また、上記ステップＳ３３、Ｓ３５、Ｓ３７での情報の削除は、貼り付けようとする画像ファイル６０をメモリ１３に読み込んだ状態、または指定された画像ファイル６０を貼り付け用画像としてＨＤＤ１１にコピーした状態で行い、ＨＤＤ１１に保存されている元画像ファイル６０は変更しないことが好ましい。
【００５９】
［第３実施形態］
次に、本発明の第３実施形態に係るコンテンツデータ処理装置を説明する。
【００６０】
本第３実施形態に係るコンテンツデータ処理装置は、インターネット上にアルバムを作成して、他者に公開する場合に対処するものである。
【００６１】
本実施形態に係るコンテンツデータ処理装置は、上記第１実施形態と同様、ＰＣ１０によって構成できるものであり、よって、その説明は省略する。
【００６２】
図６（Ａ）は、そのようなコンテンツデータ処理装置としてのＰＣ１０で実行されるフォトアルバム作成アプリケーションプログラムにおいて、モニタ１６に表示されるアルバム表示画面１６５を示す図である。ここで、該フォトアルバム作成アプリケーションプログラムにおける図示しない設定画面で、このフォトアルバムを非公開にしたり、誰でも見られるように公開したり、特定の人だけに公開したりすることができるようになっている。
【００６３】
このアルバム表示画面１６５の上部左に配された左右矢印はアルバムのページ変更を指示するためのものであり、“アルバム”は表示するアルバムの変更やアルバムの追加、削除を指示するためのものである。また、“追加”はアルバムヘの写真の追加、“削除”はアルバムからの写真の削除、“終了”はアルバム表示の終了をそれぞれ指示するためのものである。その下の“Ｍｙ  Ａｌｂｕｍ”は、表示しているアルバム名を示しており、その下がアルバムとなる。
【００６４】
図６（Ｂ）は、図６（Ａ）のアルバム表示画面１６５で“追加”を押した場合の写真追加画面１６６を示す図である。この写真追加画面１６６においては、ＰＣ１０のＨＤＤ１１、ＣＤ／ＤＶＤ１４、ＤＳＣ３０やネットワークドライブに保存されている写真の画像ファイル６０を、インターネット上のフォトアルバム（インターネットに接続されたＰＣ／サーバ２０に設けられたフォトアルバムのフォルダ）にアップロードすることができる。
【００６５】
二段目右の“参照”を押して画像が保存されているフォルダを選択する。即ち、この写真追加画面１６６においては、その下段に、選択したフォルダに保存されている写真の画像ファイル６０がサムネイル画像として表示される写真表示エリアを有し、各サムネイル画像の横に配されたチェックボックスをチェックすることでアップロードする写真を選択して、該写真追加画面１６６上段の“アップロード”を押すと、ＰＣ１０からインターネット上のフォトアルバムに対応する画像ファイル６０が送信され、図６（Ａ）のアルバム表示画面１６５に写真が追加される。なお、図６（Ｂ）の表示例では、写真表示エリアの２段目右の写真１枚のみが選択されている。
【００６６】
また、この写真追加画面１６６の上段に配された“キャンセル”を押すと、写真の追加を中止して、図６（Ａ）のアルバム表示画面１６５に戻る。また、上段の“設定”を押すと、図２（Ｄ）の設定画面１６３と同じ設定を行える。
【００６７】
図７は、制御部１２によって実行されるフォトアルバムアプリケーションプログラムにおいて、図６（Ｂ）の写真追加画面１６６で“アップロード”を押した時に実行されるアップロード処理の動作フローチャートを示している。
【００６８】
即ち、まず、アップロードを指示された写真に対応する画像ファイル６０に、撮影者、著作権者或いは撮影位置情報が含まれるか否かを確認する（ステップＳ４１）。そのような撮影者、著作権者及び撮影位置情報が含まれていなければ、インターネット上のフォトアルバムに画像ファイル６０を送信する（ステップＳ４２）。そしてその後、ステップＳ４３で、図６（Ｂ）の写真追加画面１６６で選択された写真（画像ファイル６０）を全て送付したか否かを確認し（ステップＳ４３）、まだ未送信の画像ファイル６０が有る場合には上記ステップＳ４１に戻る。また、全て送信した場合には、該アップロード処理を終了する。
【００６９】
一方、上記ステップＳ４１において、撮影者、著作権者或いは撮影位置情報が含まれていると判別した場合には、図示しない設定画面において情報削除の確認をすると設定されているか否かを確認する（ステップＳ４４）。ここで、その確認をすると設定されている場合には、図２（Ｃ）に示したような確認画面１６２と同様の確認画面をモニタ１６に表示することで、確認メッセージを表示する（ステップＳ４５）。そして、その不図示の確認画面で“削除する”が押されたか否かを判別する（ステップＳ４６）。ここで、“削除する”が押されずに“削除しない”が押されたと判別した場合には、上記ステップＳ４２に進み、上記撮影者、著作権者或いは撮影位置情報を含む画像ファイル６０がインターネット上のフォトアルバムに送信されることとなる。
【００７０】
一方、上記ステップＳ４４で情報削除の確認をしないと設定されていると判別した場合、或いは、上記ステップＳ４６で“削除する”が押されたと判別した場合には、不図示の確認画面又は設定画面において、撮影者情報の削除が設定されているか否かを判別する（ステップＳ４７）。そして、撮影者情報の削除が設定されていれば、上記アップロードを指示された写真に対応する画像ファイル６０から撮影者情報を削除する（ステップＳ４８）。
【００７１】
その後、或いは上記ステップＳ４７で撮影者情報の削除が設定されていないと判別した場合、不図示の確認画面又は設定画面において、著作権者情報の削除が設定されているか否かを判別する（ステップＳ４９）。そして、著作権者情報の削除が設定されていれば、上記アップロードを指示された写真に対応する画像ファイル６０から著作権者情報を削除する（ステップＳ５０）。
【００７２】
その後、或いは上記ステップＳ４９で著作権者情報の削除が設定されていないと判別した場合、不図示の確認画面又は設定画面において、撮影位置情報の削除が設定されているか否かを判別する（ステップＳ５１）。そして、撮影位置情報の削除が設定されていれば、上記アップロードを指示された写真に対応する画像ファイル６０から撮影位置情報を削除する（ステップＳ５２）。
【００７３】
その後、或いは上記ステップＳ５１で撮影位置情報の削除が設定されていないと判別した場合には、上記ステップＳ４２に進み、上記撮影者、著作権者或いは撮影位置情報が削除された画像ファイル６０がインターネット上のフォトアルバムに送信されることとなる。
【００７４】
以上のように、インターネット上のフォトアルバムのような、特定または不特定多数の人が見る可能性があるフォトアルバムに画像を載せる場合でも、撮影者、著作権者及び撮影位置といった個人情報を削除した上で載せるので、個人情報を知られることを防ぐことができ、安全である。
【００７５】
従って、例えば、ＧＰＳ機能付きＤＳＣ３０を用いて自宅や自宅で撮影した家族やペット等の写真をフォトアルバムに載せる場合に、ユーザがＧＰＳ位置情報を削除して載せることができるので、不特定多数の第三者が、フォトアルバムに掲載された画像のＤＰＳ情報から画像に写っている自宅や家族またはペットの住所や撮影位置（＝良く行く場所など）を調べてしまうことを防ぐことができる。
【００７６】
同様に、画像編集アプリケーションプログラムを用いて画像に付けた撮影者や著作権者情報も削除することができるので、第三者に撮影者や著作権者氏名が知られてしまうことを防ぐことができる。
【００７７】
なお、本実施形態では、アップロード時に情報削除の確認と削除を行っているが、図６（Ｂ）の写真追加画面１６６で画像を選択した時に行うようにしても良い。
【００７８】
また、アップロード時に情報削除の確認と削除は、ＰＣ１０上で動作するフォトアルバムアプリケーションプログラムで行っても良いし、インターネット上のＰＣ／サーバ２０で動作するフォトアルバムアプリケーションプログラムで行っても良い。
【００７９】
ここで、インターネット上のＰＣ／サーバ２０で動作するフォトアルバムアプリケーションプログラムで行う場合は、そのＰＣ／サーバ２０上のフォトアルバムアプリケーションプログラムから送付される画面をＰＣ１０がモニタ１６に表示して、フォトアルバムアプリケーションプログラムから送付された指示に従って、ＰＣ１０で押された動作や選択された画像をＰＣ１０がフォトアルバムアプリケーションプログラムに送付して、フォトアルバムアプリケーションプログラムがＰＣ１０から画像を受信した時に、情報削除を行うようにしても良い。
【００８０】
また、上記ステップＳ４８、Ｓ５０、Ｓ５２での情報の削除は、送信しようとする画像ファイル６０をメモリ１３に読み込んだ状態、または指定された画像ファイル６０を送信用画像としてＨＤＤ１１にコピーした状態で行い、ＨＤＤ１１に保存されている元画像ファイル６０は変更しないことが好ましい。
【００８１】
［第４実施形態］
次に、本発明の第４実施形態に係るコンテンツデータ処理装置を説明する。
【００８２】
本第４実施形態に係るコンテンツデータ処理装置は、写真の画像ファイルをリムーバブルディスクやネットワークドライブに保存する場合に対処するものである。
【００８３】
本実施形態に係るコンテンツデータ処理装置は、上記第１実施形態と同様、ＰＣ１０によって構成できるものであり、よって、その説明は省略する。
【００８４】
図８は、そのようなコンテンツデータ処理装置としてのＰＣ１０で実行されるファイル・フォルダ管理アプリケーションプログラムにおいて、モニタ１６に表示される管理画面１６７を示す図である。この管理画面１６７は、他者に公開する写真の画像ファイル６０を設定するためのもので、ＰＣ１０のＨＤＤ１１、ＣＤ／ＤＶＤ１４、ＵＳＢ接続されたＤＳＣ３０、図示しないネットワーク接続されたネットワークドライブ、に保存されているファイルやフォルダの表示や、コピーや削除を実行することができる。
【００８５】
即ち、この管理画面１６７の左側に表示されるコンピュータ名やフォルダ名等をマウス４０によってクリック操作すると、そこに保存されているファイルやフォルダが右側に表示される。図８の表示例では、左側で“Ｍｙ  Ｄｏｃｕｍｅｎｔｓ”フォルダ内の“Ｍｙ  Ｐｉｃｔｕｒｅｓ”フォルダを選択して（選択状態を下線により示しているが、それに限定されるものではない）、右側にその“￥Ｍｙ  Ｄｏｃｕｍｅｎｔｓ￥Ｍｙ  Ｐｉｃｔｕｒｅｓ”フォルダ内にある３つのフォルダと３つの画像ファイルの名称が表示されている。
【００８６】
この右側で、フォルダやファイルをマウスクリックして選択し、左側のコンピュータ名やフォルダ名にドラッグ・アンド・ドロップすれば、その選択したファイルやフォルダをコピーすることができる。同様に、画面右側でフォルダやファイルをマウスクリックして選択し、上部の“移動先”や“コピー先”をクリックして“移動先”や“コピー先”を選択すると、移動やコピーを実行することができる。
【００８７】
また、該管理画面１６７の左側の“ＣＤ／ＤＶＤ１４（Ｄ：）”はＰＣ１０内部に設置されているＣＤ／ＤＶＤ１４ドライブを示し、“リムーバブルディスク（Ｅ：）”はＵＳＢ接続されているＤＳＣ３０を示す。更に、“写真送付用”は、ネットワーク接続されているネットワークドライブを示す。
【００８８】
図９は、制御部１２によって実行されるファイル・フォルダ管理アプリケーションプログラムにおいて、コピーや移動の操作が行われた時に実行されるコピー／移動処理の動作フローチャートを示している。即ち、上述したようにドラッグ・アンド・ドロップ、または“移動先”や“コピー先”を選択した後の動作を示す。
【００８９】
即ち、まず、“移動先”又は“コピー先”がＣＤ／ＤＶＤ１４やＤＳＣ３０といったリムーバブルディスク、もしくはネットワークドライブであるか否かを確認する（ステップＳ６１）。
【００９０】
ここで、リムーバブルディスク又はネットワークドライブではない、つまりＨＤＤ１１の別フォルダへのコピー又は移動である場合には、選択された画像ファイル６０の、指示されたコピー又は移動先のフォルダへのコピーを実行する（ステップＳ６２）。そしてその後、その実行した動作が移動であったのかコピーであったのかを確認し（ステップＳ６３）、移動であった場合には、移動元の画像ファイル６０を削除する（ステップＳ６４）。
【００９１】
その後、或いは上記ステップＳ６３で実行した動作がコピーであったと判別した場合、選択されたファイルやフォルダが全てコピー又は移動されたか否かを確認し（ステップＳ６５）、まだコピー又は移動していないものが有れば、上記ステップＳ６１に戻る。また、全てコピー又は移動した場合には、該コピー／移動処理を終了する。
【００９２】
一方、上記ステップＳ６１において、移動先又はコピー先がリムーバブルディスク又はネットワークドライブであると判別した場合には、選択された画像ファイル６０に撮影者、著作権者或いは撮影位置情報が含まれているか否かを確認する（ステップＳ６６）。ここで、そのような撮影者、著作権者及び撮影位置情報が含まれていなければ、上記ステップＳ６２に進んで、当該画像ファイル６０のコピー／又は移動を実行することになる。
【００９３】
これに対して、上記ステップＳ６６において、撮影者、著作権者或いは撮影位置情報が含まれていると判別した場合には、図２（Ｄ）の設定画面１６３と同様の図示しない設定画面においてコピーや移動時に“確認する”が設定されているか否かを確認する（ステップＳ６７）。ここで、その設定が“確認する”となっている場合には、図２（Ｃ）の確認画面１６２と同様の図示しない確認画面をモニタ１６に表示することで、確認メッセージを表示する（ステップＳ６８）。そして、その不図示の確認画面で“削除する”が押されたか否かを判別する（ステップＳ６９）。ここで、“削除する”が押されずに“削除しない”が押されたと判別した場合には、上記ステップＳ６２に進み、上記撮影者、著作権者或いは撮影位置情報を含む画像ファイル６０がコピー又は移動されることになる。
【００９４】
一方、上記ステップＳ６７で設定が“確認する”となっていないと判別した場合、或いは、上記ステップＳ６９で“削除する”が押されたと判別した場合には、図示しない確認画面又は設定画面において、撮影者情報の削除が設定されているか否かを判別する（ステップＳ７０）。そして、撮影者情報の削除が設定されていれば、選択された画像ファイル６０から撮影者情報を削除する（ステップＳ７１）。
【００９５】
その後、或いは上記ステップＳ７０で撮影者情報の削除が設定されていないと判別した場合、不図示確認画面又は設定画面において、著作権者情報の削除が設定されているか否かを判別する（ステップＳ７２）。そして、著作権者情報の削除が設定されていれば、選択された画像ファイル６０から著作権者情報を削除する（ステップＳ７３）。
【００９６】
その後、或いは上記ステップＳ７２で著作権者情報の削除が設定されていないと判別した場合、図示しない確認画面又は設定画面において、撮影位置情報の削除が設定されているか否かを判別する（ステップＳ７４）。そして、撮影位置情報の削除が設定されていれば、選択された画像ファイル６０から撮影位置情報を削除する（ステップＳ７５）。
【００９７】
その後、或いは上記ステップＳ７４で撮影位置情報の削除が設定されていないと判別した場合には、上記ステップＳ６２に進み、上記撮影者、著作権者或いは撮影位置情報が削除された画像ファイル６０がコピー／又は移動されることになる。
【００９８】
以上のように、ＣＤやＤＶＤのように持ち運びや配布が可能なため、第三者が見る可能性があるディスクにファイルを保存する場合や、ネットワークドライブのように第三者のＰＣ／サーバ２０からでも保存されている画像を見ることができてしまうドライブにファイルを保存する場合に、撮影者、著作権者及び撮影位置といった個人情報を削除した上で保存するので、個人情報を知られることを防ぐことができ、安全である。
【００９９】
従って、例えば、ＧＰＳ機能付きＤＳＣ３０を用いて自宅や自宅で撮影した家族やペット等の写真をリムーバブルディスクやネットワークドライブに保存する場合に、ユーザがＧＰＳ位置情報を削除して保存することができるので、第三者が、リムーバブルディスクやネットワークドライブに保存された画像のＧＰＳ情報から画像に写っている自宅や家族またはペットの住所を調べてしまうことを防ぐことができる。
【０１００】
同様に、画像編集アプリケーションプログラムを用いて画像に付けた撮影者や著作権者情報も削除することができるので、第三者に撮影者や著作権者氏名が知られてしまうことを防ぐことができる。
【０１０１】
また、上記ステップＳ７１、Ｓ７３、Ｓ７５での情報の削除は、コピー又は移動しようとする画像ファイル６０をメモリ１３に読み込んだ状態、または指定された画像ファイル６０をコピー又は移動用画像としてＨＤＤ１１にコピーした状態で行い、ＨＤＤ１１に保存されている元画像ファイル６０は変更しないことが好ましい。
【０１０２】
以上実施形態に基づいて本発明を説明したが、本発明は上述した実施形態に限定されるものではなく、本発明の要旨の範囲内で種々の変形や応用が可能なことは勿論である。
【０１０３】
例えば、ＰＣ１０のＨＤＤ１１へのコピー／移動の場合でも、コピー／移動先のフォルダが、他のＰＣ／サーバ２０等、第三者からアクセス可能な共有フォルダの場合は、同様に削除を行うようにしても良い。
【０１０４】
また、上記実施形態では、元画像ファイルはそのままで、送付／アップロード／コピー／移動用の画像ファイルのみ情報を削除するようにしたが、元画像ファイルから情報を削除して、その削除した元画像ファイルを送付／アップロード／コピー／移動するようにしても良い。
【０１０５】
なお、上記実施形態では、撮影者、著作権者及び撮影位置の個人情報で説明を行ったが、これ以外にも、例えば撮影された人など個人に関わる情報がある場合は、同様に削除するようにしても良い。
【０１０６】
また、削除する情報の選択指定／確認時には、その情報項目だけでなく、情報内容を表示するようにしても良い。
【０１０７】
なお、コンテンツデータは、ＪＰＥＧ、ＴＩＦＦやＢＭＰ等の静止画ファイルでも良いし、ＷＭＶやＭＯＶ等の動画ファイルでも良い。勿論複数のファイル形式に対応しても良い。
【図面の簡単な説明】
【０１０８】
【図１】図１は本発明の第１実施形態に係るコンテンツデータ処理装置を用いたシステムの構成を示す図である。
【図２】図２（Ａ）は画像ファイルの構成を示す図、図２（Ｂ）は電子メール画面を示す図、図２（Ｃ）は確認画面を示す図であり、図２（Ｄ）は設定画面を示す図である。
【図３】図３は電子メールアプリケーションプログラムにおけるメール送信処理の動作フローチャートを示す図である。
【図４】図４は本発明の第２実施形態に係るコンテンツデータ処理装置におけるＨＰ作成画面を示す図である。
【図５】図５はＨＰ作成アプリケーションプログラムにおける画像貼り付け処理の動作フローチャートを示す図である。
【図６】図６（Ａ）は本発明の第３実施形態に係るコンテンツデータ処理装置におけるアルバム表示画面を示す図であり、図６（Ｂ）は写真追加画面を示す図である。
【図７】図７はフォトアルバムアプリケーションプログラムにおけるアップロード処理の動作フローチャートを示す図である。
【図８】図８は本発明の第４実施形態に係るコンテンツデータ処理装置における管理画面を示す図である。
【図９】図９はファイル・フォルダ管理アプリケーションプログラムにおけるコピー／移動処理の動作フローチャートを示す図である。
【符号の説明】
【０１０９】
１０…パーソナルコンピュータ（ＰＣ）、  １１，２１…ＨＤＤ、  １２，２２…制御部、  １３，２３…メモリ、  １４…ＣＤ／ＤＶＤ、  １５，２５…通信部、  １６，２６…モニタ、  １７，２７…表示部、  １８，２８…キーボード、  ２０…ＰＣやサーバ（ＰＣ／サーバ）、  ３０…デジタルスチルカメラ（ＤＳＣ）、  ４０，５０…マウス、  ６０…画像ファイル、  ６１…画像データ、  ６２…ヘッダ部、  １６１…電子メール画面、  １６２…確認画面、  １６３…設定画面、  １６４…ＨＰ作成画面、  １６４Ａ…ＨＰ画面、  １６４Ｂ…選択画面、  １６５…アルバム表示画面、  １６６…写真追加画面、  １６７…管理画面。
【図１】
2007088754.tif 000003
【図２】
2007088754.tif 000004
【図３】
2007088754.tif 000005
【図４】
2007088754.tif 000006
【図５】
2007088754.tif 000007
【図６】
2007088754.tif 000008
【図７】
2007088754.tif 000009
【図８】
2007088754.tif 000010
【図９】
2007088754.tif 000011